【手続補正書】
【提出日】平成29年2月2日(2017.2.2)
【手続補正１】
【補正対象書類名】特許請求の範囲
【補正対象項目名】全文
【補正方法】変更
【補正の内容】
【特許請求の範囲】
【請求項１】
施設の利用者が利用する可搬型通信端末と、該利用者がその施設の従業員に対して提示する該可搬型通信端末の画面の認証を行う認証処理サーバとを有する認証処理システムであって，
認証処理サーバは，
時間帯ごとに複数あるコードを識別する情報である複数のコード識別情報と，前記複数のコード識別情報のそ前記れぞれに時間帯ごとのコードが対応付けられているコード表を生成するコード表生成処理部と，
前記コード表生成処理部が生成したコード表を記憶するコード表記憶部と，
時計機能を有する時計処理部と，
前記可搬型通信端末に入力された前記コード識別情報を該可搬型通信端末から受け付け，前記時計処理部における日時情報と前記受け付けた前記コード識別情報とに基づいて，前記コード表記憶部に記憶するコード表から，対応する前記コードを特定し，該コードを前記可搬型通信端末に送る利用者処理部と，を備え，
前記可搬型通信端末は，前記認証処理サーバから送信された前記コードを受信し、該受信した前記コードに基づいて前記施設の従業員に対して提示する画面を表示するようになっている，
ことを特徴とする認証処理システム。
【請求項２】
前記コード識別情報は，前記可搬型通信端末を用いて前記利用者が前記施設に画面認証を行う際に入力される
ことを特徴とする請求項１に記載の認証処理システム。
【請求項３】
前記画面認証は，前記施設への該施設で利用可能なクーポンの利用認証，および/または前記施設への支払い認証である
ことを特徴とする請求項２に記載の認証処理システム。
【請求項４】
前記施設には施設側端末が設置されており，
前記施設側端末は，
前記認証処理システムから配信された前記コード表を記憶しており，
現在の日時情報に対応する所定範囲の時間帯の前記コード表を表示する，
ことを特徴とする請求項３に記載の認証処理システム。
【請求項５】
前記所定範囲の時間帯として，現在の日時情報とその前後の所定時間帯である，
ことを特徴とする請求項４に記載の認証処理システム。
【請求項６】
前記コード表生成処理部は，
施設ごとに日にちによって使用される前記コードを変更する，
ことを特徴とする請求項１から請求項５のいずれかに記載の認証処理システム。
【請求項７】
前記認証処理システムは、前記生成したコード表を出力するコード表出力処理部を更に備えており，
前記コード表は，
複数のページからなるコードブックと，コードカレンダーとを有しており，
前記コードブックは，
ページごとに，複数の前記コード識別情報と，その各コード識別情報に時間帯ごとのコードを対応付けており，
前記コードカレンダーは，
日付とページとを対応付けている，
ことを特徴とする請求項１から請求項６のいずれかに記載の認証処理システム。
【請求項８】
施設の利用者がその施設の従業員に対して提示する画面の認証を行う認証処理サーバであって，
時間帯ごとに複数あるコードを識別する情報である複数のコード識別情報と，前記複数のコード識別情報のそれぞれに時間帯ごとのコードが対応付けられているコード表を生成するコード表生成処理部と，
前記コード表生成処理部が生成したコード表を記憶するコード表記憶部と，
時計機能を有する時計処理部と，
前記利用者が利用する可搬型通信端末に入力された前記コード識別情報を該可搬型通信端末から受け付け，前記時計処理部における日時情報と前記受け付けた前記コード識別情報とに基づいて，前記コード表記憶部に記憶するコード表から，対応する前記コードを特定し，該コードを前記可搬型通信端末に送る利用者処理部と，を備えている，
ことを特徴とする認証処理サーバ。
【請求項９】
時計機能を有する時計処理部及び記憶部を備えた認証処理サーバにより行われる，施設の利用者がその施設の従業員に対して提示する画面の認証処理方法であって，
前記認証処理サーバは，
時間帯ごとに複数あるコードを識別する情報である複数のコード識別情報と，前記複数のコード識別情報のそれぞれに時間帯ごとのコードが対応付けられているコード表を生成するステップと，
前記記憶部に前記生成したコード表を記憶させるステップと，
前記利用者が利用する可搬型通信端末に入力された前記コード識別情報を該可搬型通信端末から受け付け，前記時計処理部における日時情報と前記受け付けた前記コード識別情報とに基づいて，前記記憶部に記憶されているコード表から対応する前記コードを特定し，該コードを前記可搬型通信端末に送るステップと，を実行する，
ことを特徴とする認証処理方法。
【手続補正２】
【補正対象書類名】明細書
【補正対象項目名】発明の名称
【補正方法】変更
【補正の内容】
【発明の名称】認証処理システム，認証処理サーバ及び認証処理方法
【手続補正３】
【補正対象書類名】明細書
【補正対象項目名】０００８
【補正方法】変更
【補正の内容】
【０００８】
本発明は，施設の利用者が利用する可搬型通信端末と、該利用者がその施設の従業員に対して提示する該可搬型通信端末の画面の認証を行う認証処理サーバとを有する認証処理システムであって，前記認証処理サーバは，時間帯ごとに複数あるコードを識別する情報である複数のコード識別情報と，前記複数のコード識別情報のそれぞれに時間帯ごとのコードが対応付けられているコード表を生成するコード表生成処理部と，前記コード表生成処理部が生成したコード表を記憶するコード表記憶部と，時計機能を有する時計処理部と，前記可搬型通信端末に入力された前記コード識別情報を該可搬型通信端末から受け付け，前記時計処理部における日時情報と前記受け付けた前記コード識別情報とに基づいて，前記コード表記憶部に記憶するコード表から，対応する前記コードを特定し，該コードを前記可搬型通信端末に送る利用者処理部と，を備え，前記可搬型通信端末は，前記認証処理サーバから送信された前記コードを受信し、該受信した前記コードに基づいて前記施設の従業員に対して提示する画面を表示するようになっている，認証処理システムである。また、上述の発明において，前記コード識別情報は，前記可搬型通信端末を用いて前記利用者が前記施設に画面認証を行う際に入力される，認証処理システムのように構成することができる。また、上述の発明において，前記画面認証は，前記施設への該施設で利用可能なクーポンの利用認証，および/または前記施設への支払い認証であるされる，認証処理システムのように構成することができる。
【手続補正４】
【補正対象書類名】明細書
【補正対象項目名】００１０
【補正方法】変更
【補正の内容】
【００１０】
上述の発明において，前記施設には施設側端末が設置されており，前記施設側端末は，前記認証処理システムから配信された前記コード表を記憶しており，現在の日時情報に対応する所定範囲の時間帯の前記コード表を表示する，認証処理システムのように構成することができる。
【手続補正５】
【補正対象書類名】明細書
【補正対象項目名】００１５
【補正方法】変更
【補正の内容】
【００１５】
上述の発明において，前記コード表生成処理部は，施設ごとに日にちによって使用される前記コードを変更する，認証処理システムのように構成することができる。
【手続補正６】
【補正対象書類名】明細書
【補正対象項目名】００１７
【補正方法】変更
【補正の内容】
【００１７】
上述の発明において，前記認証処理システムは、前記生成したコード表を出力するコード表出力処理部を更に備えており，前記コード表は，複数のページからなるコードブックと，コードカレンダーとを有しており，前記コードブックは，ページごとに，複数の前記コード識別情報と，その各コード識別情報に時間帯ごとのコードを対応付けており，前記コードカレンダーは，日付とページとを対応付けている，認証処理システムのように構成することができる。
【手続補正７】
【補正対象書類名】明細書
【補正対象項目名】００１９
【補正方法】変更
【補正の内容】
【００１９】
紙媒体のコード表であっても，施設ごとに異なるコード表とする場合もある。施設ごとに異なるコード表を生成するのは，コードをすべて一から生成すると処理時間を要してしまう。そこで，コードカレンダーにおいて，コードブックの日付とページとの対応関係を，施設ごとに変更することで，施設ごとに異なるコード表とすることが好ましい。これによって，処理時間を要することなく，施設ごとに異なるコード表を生成することができる。
【手続補正８】
【補正対象書類名】明細書
【補正対象項目名】００２０
【補正方法】変更
【補正の内容】
【００２０】
また、本発明は，施設の利用者がその施設の従業員に対して提示する画面の認証を行う認証処理サーバであって，時間帯ごとに複数あるコードを識別する情報である複数のコード識別情報と，前記複数のコード識別情報のそれぞれに時間帯ごとのコードが対応付けられているコード表を生成するコード表生成処理部と，前記コード表生成処理部が生成したコード表を記憶するコード表記憶部と，時計機能を有する時計処理部と，前記利用者が利用する可搬型通信端末に入力された前記コード識別情報を該可搬型通信端末から受け付け，前記時計処理部における日時情報と前記受け付けた前記コード識別情報とに基づいて，前記コード表記憶部に記憶するコード表から，対応する前記コードを特定し，該コードを前記可搬型通信端末に送る利用者処理部と，を備えている，認証処理サーバである。
また，本発明は，時計機能を有する時計処理部及び記憶部を備えた認証処理サーバにより行われる，施設の利用者がその施設の従業員に対して提示する画面の認証処理方法であって，前記認証処理サーバは，時間帯ごとに複数あるコードを識別する情報である複数のコード識別情報と，前記複数のコード識別情報のそれぞれに時間帯ごとのコードが対応付けられているコード表を生成するステップと，前記記憶部に前記生成したコード表を記憶させるステップと，前記利用者が利用する可搬型通信端末に入力された前記コード識別情報を該可搬型通信端末から受け付け，前記時計処理部における日時情報と前記受け付けた前記コード識別情報とに基づいて，前記記憶部に記憶されているコード表から対応する前記コードを特定し，該コードを前記可搬型通信端末に送るステップと，を実行する，認証処理方法である。